(57)【特許請求の範囲】
【請求項１】
下端に架台を有するマストと、そのマストに、上部昇降フレームと下部昇降フレームとの間に油圧シリンダを配設してなる昇降機構と共にジブ及び揚重・起伏装置等を設けた旋回架構を上下動自在に挿通支持して構成されたベル部とからなり、前記ベル部は型鋼を直方形に組んだフレーム構造にして下端の設置辺の端部に鉄骨へのアンカー部分とする張り出しのある構台を有し、前記構台は、前記昇降機構の上部昇降フレームの下面にボルト取り付けされて、この構台の内部に前記昇降機構の下部と前記架台とが収容可能とされ、前記構台の内部に昇降機構の下部と架台とを収容して、架台とベル部とを、前記構台を配したフロアと同一階フロアの鉄骨上にあずけ得る構成としたことを特徴とするタワークレーン。
【請求項２】
請求項１記載の上記タワークレーンを、上記架台により下階フロアの鉄骨上に設置し、上階フロアの鉄骨揚重及び建て方を終了したのち、上記構台をもってベル部を上階フロアの鉄骨上にあずけ、その状態でマストを上昇して下階フロアの架台を構台内まで引き上げ、当該フロアの鉄骨上に架台を設置して、さらに上階フロアの鉄骨揚重及び建て方を行い、かかる同一階フロアでのベル部と架台との盛り替えを上階へと行って、クレーンをクライミングすることを特徴とするフロアクライミングシステム。
【発明の詳細な説明】
【０００１】
【発明の属する技術分野】
この発明は、鉄骨造の建物の鉄骨建て方に用いられるタワークレーンとそのクレーンのフロアクライミングシステムに関するものである。
【０００２】
【従来の技術】
通常のタワークレーンは、図７に示すように、下端に架台２を有するマスト１と、そのマスト１に昇降機構３と共に上下動自在に挿通支持した旋回架構４に、ジブ５及び揚重・起伏装置６などを設けたベル部７とからなる。
【０００３】
このようなタワークレーンを、建物内部に設置してフロアクライミングする場合には、例えば図７（Ａ）に示すように、建て方が終了した下階フロアＦ２の鉄骨８上に架台２を設置して、上階フロアＦ５〜Ｆ７の鉄骨揚重と建て方とを行い、その作業が終了すると、図７（Ｂ）に示すように、ベル部７を上階フロアＦ７の鉄骨８上にあづけて、昇降機構内の油圧シリンダによりマスト１を上昇し、これにより架台２を３階ほどを引き上げて上階フロアＦ４の鉄骨８上に架台２を移し替えている。
【０００４】
【発明が解決しようとする課題】
このクレーンのフロアクライミングに際しては、階高と上昇降部フレーム高さからベル部７を仮支持する階を決め、さらに仮支持したベル部位置より、架台２の最高引き上げ高さを求めて、架台設置階を決めている。これによりクレーンの１回あたりのクライミング可能高さからクレーンの設置個所が限定され、架台２の引き上げは、ベル部７をあづけた階よりも２〜３階ほど下階のフロアに制限されがちであった。
【０００５】
このため、クレーンの次回クライミングが３階分ほどの鉄骨建て方を終了してからとなると、建て方を終了した下階ではフロアコンクリートの打設作業が行われているので、この作業が次回クライミングまでに架台２の設置階まで追い付き、さらに建て方を終了した上階にまで至ると、架台２を設置した部位及び上階のマスト周囲の部位にはフロアコンクリートの打設ができないことから、それらの部位は駄目穴９として残され、クライミング後に補完されることになる。
【０００６】
この駄目穴９の塞ぎには手間が増えるばかりか、雨天時には雨水が流れ込んで仕上げ工事の支障になることが多い。さらに、最上階では屋上の防水工事など行えず、工程に支障をも来すという課題をも有する。
【０００７】
また図は省略したが、スタジオ等の吹き抜け部がある建物では、次のクライミングのためにベル部をあづける鉄骨が上階にない場合がある。このときには、マストを継ぎ足して届くところまで鉄骨を建て方してクライミングする必要があった。
【０００８】
この発明は、上記従来の課題を解決するために考えられたものであって、その目的は、これまでのタワークレーンの構成を全く変えることなく、ベル部と架台とを同一階フロアの鉄骨に設置できるように構成して、クレーンの設置個所が限定されず、１階ごとにクライミングすることも可能な新たなタワークレーンとそのフロアクライミングシステムシステムとを提供することにある。
【０００９】
【課題を解決するための手段】
上記目的によるこの発明のタワークレーンは、下端に架台を有するマストと、そのマストに、上部昇降フレームと下部昇降フレームとの間に油圧シリンダを配設してなる昇降機構と共にジブ及び揚重・起伏装置等を設けた旋回架構を上下動自在に挿通支持して構成されたベル部とからなり、前記ベル部は型鋼を直方形に組んだフレーム構造にして下端の設置辺の端部に鉄骨へのアンカー部分とする張り出しのある構台を有し、前記構台は、前記昇降機構の上部昇降フレームの下面にボルト取り付けされて、この構台の内部に前記昇降機構の下部と前記架台とが収容可能とされ、前記構台の内部に昇降機構の下部と架台とを収容して、架台とベル部とを、前記構台を配したフロアと同一階フロアの鉄骨上にあずけ得る構成としたことを特徴とするものである。
【００１０】
またこの発明のフロアクライミングシステムは、上記タワークレーンを、上記架台により下階フロアの鉄骨上に設置し、上階フロアの鉄骨揚重及び建て方を終了したのち、上記構台をもってベル部を上階フロアの鉄骨上にあずけ、その状態でマストを上昇して下階フロアの架台を構台内まで引き上げ、当該フロアの鉄骨上に架台を設置して、さらに上階フロアの鉄骨揚重及び建て方を行い、かかる同一階フロアでのベル部と架台との盛り替えを上階へと行って、クレーンをクライミングする、というものである。
【００１１】
【発明の実施の形態】
図１及び図２は、この発明によるタワークレーンを示すもので、折畳み脚部を四方に備えた架台１２を下端に有するマスト１１と、そのマスト１１に昇降機構１３と共に上下動自在に挿通支持した旋回架構１４に、ジブ１５及び揚重・起伏装置１６等を設けたベル部１７と、上記昇降機構１３に設けて常設とした構台１８とからなる。
【００１２】
上記昇降機構１３は、旋回機構１４の下側の上部昇降フレーム１３ａと、下部昇降フレーム１３ｂとの間に複数の昇降用の油圧シリンダ１３ｃを配設し、その油圧シリンダ１３ｃと上記フレーム１３ａ，１３ｂからマスト１１に施したカンフヌキの交互弛緩とによって、ベル部１７の昇降を行う通常の構成からなる。
【００１３】
また上記構台１８は、昇降機構１３の下部と架台１２とを上下に受け入れる大きさに型鋼を直方形に組付け、斜材により補強して構成したフレーム構造からなり、その下端両側には並行に取付けた一対の型鋼による設置辺１９が設けられ、図示のようにその設置辺１９の張り出した端部をボルトにより鉄骨にアンカーして、ベル部１７を鉄骨上に仮支持できるようにしてある。
【００１４】
このような構台１８は、上部内に昇降機構１３の下部を収めて、上部に掛け渡した並行な一対の型鋼によるジョイント２０を、上記上部昇降フレーム１３ａの下面にボルトにて取付けてある。
【００１５】
図５に示す構台１８は、四方に配した型鋼による支柱２１をブレース材２２により相互に連結し、その上部と下部の両側の支柱間にそれぞれ型鋼を架設して、並行な上辺と下辺２３とにより直方形に構成し、その上辺の両側に掛け渡した一対の上記ジョイント２０により、上部昇降フレーム１３ａの下面に取付け、下辺２３を設置辺として鉄骨上に設置できるようにしたものである。
【００１６】
上記構台１８をベル部１７の下側に常設したタワークレーン１０では、上記昇降機構１３によりベル部１７と共に構台１８も昇降する。これにより同一階フロアでの架台１２とベル部１７の盛り替えができる。
【００１７】
図６は、１階ごとに架台１２とベル部１７の設置を盛り替えてフロアクライミングを行う場合の工程を示すものである。
まず従来と同様に、上記架台１２を例えば２階フロアＦ２の鉄骨８上に設置して、３階フロアＦ３及びその上階の鉄骨揚重及び建て方を行う（Ａ）。建て方を終了したのち、構台１８をベル部１７と一緒に３階フロアＦ３まで降ろして、構台１８を鉄骨８上に設置する（Ｂ）。
【００１８】
これによりベル部１７が３階フロアＦ３の鉄骨８上にあずけられて仮設置される。次に、２階フロアＦ２の架台１２のアンカーを外し、脚部の折畳みなどを行ってからマスト１１を上昇し、架台１２を３階フロアＦ３まで引き上げる。
３階フロアＦ３では構台１８の下部が開口しているので、架台１２は昇降機構１３の近傍まで引き上げられて構台１８に収まり、鉄骨８の上に位置するようになる（Ｃ）。
【００１９】
そこで架台１２を３階フロアＦ３の鉄骨８上に設置する緒作業を行い、その終了後にベル部１７を構台１８と一緒に上昇して、さらに上階フロアの鉄骨揚重と建て方とを行う（Ｄ）。建て方を終了したのち、再びクレーン１１を上述の工程によりクライミングし、さらに上階の鉄骨揚重と建て方とを繰返し行ってゆく（Ｅ）。
【００２０】
上述のように、本発明のタワークレーンでは、フロアクライミングにおいて架台の設置階高の制限を受けず、したがって、架台の盛り替えがこれまでよりも早くなるので、フロアコンクリートの打設に際する架台の設置個所の駄目穴もなくなる。
【００２１】
またマストも短く済むので機械損料が節減され、クレーン応力も小さくなって躯体補強が低減し、クライミングに要する時間も減り、クレーン拘束時間も短くなるなどのことから、実稼時間が長くなって作業効率も著しく向上するようになる。
【図面の簡単な説明】
【図１】  この発明に係わるタワークレーンの側面図である。
【図２】  同上の架台引き上げ時の側面図である。
【図３】  同上の部分側面図である。
【図４】  構台の斜視図である。
【図５】  他の実施形態の構台の斜視図である。
【図６】  この発明のクレーンのフロアクライミングの工程説明図である。
【図７】  従来のタワークレーンのフロアクライミングの工程説明図である。
【符号の説明】
１０    タワークレーン
１１    マスト
１２    架台
１３    昇降機構
１３ａ  上部昇降フレーム
１３ｂ  下部昇降フレーム
１３ｃ  油圧シリンダ
１４    旋回機構
１５    ジブ
１７    ベル部
１８    構台
１９    設置辺
２０    構台のジョイント
【図１】
0004785013.tif 000002
【図２】
0004785013.tif 000003
【図３】
0004785013.tif 000004
【図４】
0004785013.tif 000005
【図５】
0004785013.tif 000006
【図６】
0004785013.tif 000007
【図７】
0004785013.tif 000008